(57)【要約】【課題】本発明は、巨大津波にも対応ができる発泡スチロールを用いた津浪避難シェルターを提供する。【解決手段】連結部両側面に溝1を設けた木の板2を一定間隔に並置して、複数の鎹金物3で成形固定して成る成形化粧打込み型枠4、該成形化粧打込み型枠4の下側の溝1を設置面22に据え置きした型枠板材5に挿入して、止水接続板6を挿入しつつ接続ビス7で連結締付固定して成る基礎部型枠16内に、防水コンクリート8を打設して成る基礎部躯体18、該基礎部躯体18に連結部両側面に溝1を設けた木の板2で、発砲スチロール9を挟んで複数の鎹金物3で成形固定して成る壁浮体成形化粧打込み型枠19とスラブ浮体成形化粧打込み型枠20を止水接続板6と接続ビス7を用いて連結締付固定した構築物に、汚泥貯留タンク10と雨水貯留タンク13を内蔵した発泡スチロールを用いた津浪避難シェルター。【選択図】  図１
2017226994.tif 000002
【特許請求の範囲】
【請求項１】
連結部両側面に溝を設けた木の板を一定間隔に並置して、複数の鎹金物で成形固定して成る成形化粧打込み型枠、該成形化粧打込み型枠の下側の溝を設置面に据え置きした型枠板材に挿入して、止水接続板を挿入しつつ接続ビスで連結締付固定して成る基礎部型枠躯体内に、防水コンクリートを打設して成る基礎部躯体、該基礎部躯体に連結部両側面に溝を設けた木の板で、発砲スチロールを挟んで複数の鎹金物で成形固定して成る壁浮体成形化粧打込み型枠とスラブ浮体成形化粧打込み型枠を止水接続板と接続ビスを用いて連結締付固定して、構築物を構築することを特徴とする発泡スチロールを用いた津浪避難シェルター。
【請求項２】
前記、連結部両側面に溝を設けた木の板を一定間隔に並置して、複数の鎹金物で成形固定して成る成形化粧打込み型枠、該成形化粧打込み型枠の下側の溝を設置面に据え置きした型枠板材に挿入して、止水接続板を挿入しつつ接続ビスで連結締付固定して成る基礎部型枠躯体内に、防水コンクリートを打設して成る基礎部躯体、該基礎部躯体に発泡スチロールの汚泥貯留タンクを内蔵した床を併設することを特徴とする請求項１記載の発泡スチロールを用いた津浪避難シェルター。
【請求項３】
前記、連結部両側面に溝を設けた木の板を一定間隔に並置して、複数の鎹金物で成形固定して成る成形化粧打込み型枠、該成形化粧打込み型枠の下側の溝を設置面に据え置きした型枠板材に挿入して、止水接続板を挿入しつつ接続ビスで連結締付固定して成る基礎部型枠躯体内に、防水コンクリートを打設して成る基礎部躯体、該基礎部躯体に連結部両側面に溝を設けた木の板で、発砲スチロールを挟んで複数の鎹金物で成形固定して成る壁浮体成形化粧打込み型枠とスラブ浮体成形化粧打込み型枠を止水接続板と接続ビスを用いて連結締付固定して構築した構築物のスラブ浮体成形化粧打込み型枠上に雨水貯留タンクを内蔵した発泡スチロールのスラブを併設することを特徴とする請求項１、２記載の発泡スチロールを用いた津浪避難シェルター。
【発明の詳細な説明】
【技術分野】
【０００１】
本発明は、巨大津波にも対応する発泡スチロールを用いた津浪避難シェルターに関する。
【背景技術】
【０００２】
従来、小規模な浮揚式の様々な津浪避難シェルターが造られている。
【０００３】
また、行政が造る大規模な地下式・潜水式等の津浪避難シェルターも少数でではあるが造られている。
【０００４】
平地の少ないところでは、崖を刳り貫いて津浪避難シェルターを造っている行政もある。
【０００５】
しかしながら、災害が多発する我国に於いて、少数のこれらの津浪避難シェルターでは津浪防災にとって無防備に等しい。
【先行技術文献】
【特許文献】
【０００６】
【特許文献１】無し
【０００７】
【非特許文献１】無し
【発明の開示】
【発明が解決しようとする課題】
【０００８】
従来の小規模な浮揚式の様々な津浪避難シェルターや行政が造る地下式・潜水式等の津浪避難シェルターには次の問題があった。
・小規模な浮揚式の様々な津浪避難シェルターは高価なものが多く一般に普及しない欠点と平時に多目的利用ができない欠点と、日常生活ができる仮設住宅としての機能も備えていない問題、さらに、食料の備蓄や水を必要とするトイレやシャワーなど最小限の設備も備えていない問題もある。
・行政が造る大規模な地下式・潜水式等の津浪避難シェルターは巨額の費用が掛かる欠点と設置場所の選定も大きな障害である。
【０００９】
また、行政が造る大規模な地下式・潜水式等の津浪避難シェルターは、収容人数以上の避難民が避難を求めてきても対応できない問題や避難を求めて押し寄せる避難民を残して津浪避難シェルターのゲートを誰が閉めるのかなどの大きな課題もある。
【００１０】
本発明は、上記の課題に鑑みて、国民から見放された伐採適齢期を迎えている宝の森林資源を活用して、被災時のインフラ停止時に備えた日常生活ができる仮設住宅など多目的に活用ができる発泡スチロールを用いた津浪避難シェルターを提供するものである。
【課題を解決するための手段】
【００１１】
この発明は、上記の課題を解決するためになされたもので、連結部両側面に溝を設けた木の板を一定間隔に並置して、複数の鎹金物で成形固定して成る成形化粧打込み型枠、該成形化粧打込み型枠の下側の溝を設置面に据え置きした型枠板材に挿入して、止水接続板を挿入しつつ接続ビスで連結締付固定して成る基礎部型枠躯体内に、防水コンクリートを打設して成る基礎部躯体、該基礎部躯体に連結部両側面に溝を設けた木の板で、発砲スチロールを挟んで複数の鎹金物で成形固定して成る壁浮体成形化粧打込み型枠とスラブ浮体成形化粧打込み型枠を止水接続板と接続ビスを用いて連結締付固定して、構築物を構築することを特徴とする発泡スチロールを用いた津浪避難シェルター（請求項１）を提供する。
【００１２】
前記、連結部両側面に溝を設けた木の板を一定間隔に並置して、複数の鎹金物で成形固定して成る成形化粧打込み型枠、該成形化粧打込み型枠の下側の溝を設置面に据え置きした型枠板材に挿入して、止水接続板を挿入しつつ接続ビスで連結締付固定して成る基礎部型枠躯体内に、防水コンクリートを打設して成る基礎部躯体、該基礎部躯体に発泡スチロールの汚泥貯留タンクを内蔵した床を併設することを特徴とする請求項１記載の発泡スチロールを用いた津浪避難シェルター（請求項２）を提供する。
【００１３】
前記、連結部両側面に溝を設けた木の板を一定間隔に並置して、複数の鎹金物で成形固定して成る成形化粧打込み型枠、該成形化粧打込み型枠の下側の溝を設置面に据え置きした型枠板材に挿入して、止水接続板を挿入しつつ接続ビスで連結締付固定して成る基礎部型枠躯体内に、防水コンクリートを打設して成る基礎部躯体、該基礎部躯体に連結部両側面に溝を設けた木の板で、発砲スチロールを挟んで複数の鎹金物で成形固定して成る壁浮体成形化粧打込み型枠とスラブ浮体成形化粧打込み型枠を止水接続板と接続ビスを用いて連結締付固定して構築した構築物のスラブ浮体成形化粧打込み型枠上に雨水貯留タンクを内蔵した発泡スチロールのスラブを併設することを特徴とする請求項１、２記載の発泡スチロールを用いた津浪避難シェルター（請求項３）を提供する。
【発明の効果】
【００１４】
本発明の特筆すべき大きな効果を列挙する。
イ）発砲スチロールを板で包む躯体は巨大津浪の場合は海面に浮く。
ロ）コンクリート基礎躯体にすることで海面に浮いたとき安定する。
ハ）汚泥貯留タンクを床に内蔵することで水を使う日常生活が可能。
二）スラブに雨水貯留タンクを内蔵することで日常生活用水を確保。
ホ）発砲スチロールを板で包むことで強固な躯体・地球温暖化防止。
へ）成形化粧打込み型枠を積固定することで容易且つ迅速な施工性。
ト）成形化粧打込み型枠は鎹金物と接続ビスによって強固な一枚板。
チ）森林資源を成形化粧打込み型枠に使うことで山村林業を活性化。
【００１５】
以上で説明したように、請求項１に係る発明によれば、連結部両側面に溝を設けた木の板を一定間隔に並置して、複数の鎹金物で成形固定して成る成形化粧打込み型枠、該成形化粧打込み型枠の下側の溝を設置面に据え置きした型枠板材に挿入して、止水接続板を挿入しつつ接続ビスで連結締付固定して成る基礎部型枠躯体内に、防水コンクリートを打設して成る基礎部躯体、該基礎部躯体に連結部両側面に溝を設けた木の板で、発砲スチロールを挟んで複数の鎹金物で成形固定して成る壁浮体成形化粧打込み型枠とスラブ浮体成形化粧打込み型枠を止水接続板と接続ビスを用いて連結締付固定して、構築物を構築することで、巨大津浪の場合は海面に浮かぶ浮揚型津浪避難シェルターとなる。さらに、多能工でも迅速且つ安価で容易に構築できる大きな効果が得られる。
【００１６】
請求項２に係る発明によれば、前記、連結部両側面に溝を設けた木の板を一定間隔に並置して、複数の鎹金物で成形固定して成る成形化粧打込み型枠、該成形化粧打込み型枠の下側の溝を設置面に据え置きした型枠板材に挿入して、止水接続板を挿入しつつ接続ビスで連結締付固定して成る基礎部型枠躯体内に、防水コンクリートを打設して成る基礎部躯体、該基礎部躯体に発泡スチロールの汚泥貯留タンクを内蔵した床を併設することで、災害時にインフラが停止しても日常生活用水が流せる大きな効果が得られる。
【００１７】
請求項３に係る発明によれば、前記、連結部両側面に溝を設けた木の板を一定間隔に並置して、複数の鎹金物で成形固定して成る成形化粧打込み型枠、該成形化粧打込み型枠の下側の溝を設置面に据え置きした型枠板材に挿入して、止水接続板を挿入しつつ接続ビスで連結締付固定して成る基礎部型枠躯体内に、防水コンクリートを打設して成る基礎部躯体、該基礎部躯体に連結部両側面に溝を設けた木の板で、発砲スチロールを挟んで複数の鎹金物で成形固定して成る壁浮体成形化粧打込み型枠とスラブ浮体成形化粧打込み型枠を止水接続板と接続ビスを用いて連結締付固定して構築した構築物のスラブ浮体成形化粧打込み型枠上に雨水貯留タンクを内蔵した発泡スチロールのスラブを併設することで、災害時にインフラが停止しても日常生活用水が確保できる大きな効果が得られる。
【発明を実施するための最良の形態】
【００１８】
以下に、本発明の実施形態は添付図面を参照しつつ詳細に説明する。
【００１９】
図１は、本発明に係る発泡スチロールを用いた津浪避難シェルターの矩計断面図。図2は、図１のA部を拡大した断面詳細図。図3は、図１のB部を拡大した断面詳細図。図4は、図１のC部を拡大した断面詳細図。図5は、図１のD部を拡大した成形化粧打込み型枠の結合図。図6は、図１のE部を拡大した断面詳細図。図7は、基礎部を形成する成形化粧打込み型枠の詳細図。図8は、基礎部を形成する成形化粧打込み型枠の断面詳細図。図9は、壁を形成する壁浮体成形化粧打込み型枠の詳細図。図10は、壁を形成する壁浮体成形化粧打込み型枠の断面詳細図。図11は、スラブを形成するスラブ浮体成形化粧打込み型枠の詳細図。図12は、スラブを形成するスラブ浮体成形化粧打込み型枠の断面詳細図。
【００２０】
本発明の実施形態を図面で説明すれば、図１は、連結部両側面に溝1を設けた木の板2を一定間隔に並置して、複数の鎹金物3で成形固定して成る成形化粧打込み型枠4、該成形化粧打込み型枠4の下側の溝1を設置面22に据え置きした型枠板材5に挿入して、止水接続板6を挿入しつつ接続ビス7で連結締付固定して成る基礎部型枠16内に、防水コンクリート8を打設して成る基礎部躯体18、該基礎部躯体18に連結部両側面に溝1を設けた木の板2で、発砲スチロール9を挟んで複数の鎹金物3で成形固定して成る壁浮体成形化粧打込み型枠19とスラブ浮体成形化粧打込み型枠20を止水接続板6と接続ビス7を用いて連結締付固定した構築物に、汚泥貯留タンク10と雨水貯留タンク13を内蔵した発泡スチロールを用いて構築する、本発明に係る発泡スチロールを用いた津浪避難シェルターの矩計断面図である。
【００２１】
図２は、図１の基礎部を拡大したA部の断面詳細図である。
【００２２】
図３は、図１の壁浮体成形化粧打込み型枠19の連結部を拡大したB部の断面詳細図である。
【００２３】
図４は、図１の壁とスラブを構成する壁浮体成形化粧打込み型枠19とスラブ浮体成形化粧打込み型枠20の連結部を拡大したC部の断面詳細図である。
【００２４】
図5は、図１の壁を構成する壁浮体成形化粧打込み型枠19の連結状況を示したD部の拡大図である。
【００２５】
図6は、図１のスラブを構成する壁浮体成形化粧打込み型枠19と発泡スチロールのスラブの取合いを拡大したE部の断面詳細図である。
【００２６】
図7は、図1の基礎部を構成する成形化粧打込み型枠4の拡大図である。
【００２７】
図8は、図7の成形化粧打込み型枠4の断面詳細図である。
【００２８】
図9は、図1の壁を構成する壁浮体成形化粧打込み型枠19の拡大図である。
【００２９】
図10は、図9の壁浮体成形化粧打込み型枠19の断面詳細図である。
【００３０】
図11は、図1のスラブを構成するスラブ浮体成形化粧打込み型枠20の拡大図である。
【００３１】
図12は、図11のスラブ浮体成形化粧打込み型枠20の断面詳細図である。
【００３２】
以上、図面について説明したが、本発明は、従来のように高度な技能を必要とすることなく多能工でも迅速且つ安全で容易に、巨大津波にも対応ができる浮揚式の津浪避難シェルターが構築できることを目的としたものである。
【００３３】
さらに、本発明で使用する成形化粧打込み型枠6は森林資源を使用することから、行政が推進している防災・減災・地方創生や地球温暖化問題などの課題解決に貢献できる。
【実施例１】
【００３４】
図１を参照に、地均しをした設置面22に型枠板材5で基礎の型枠組をして、連結部両側面に溝1を設けた、2枚の木の板2（40ｍｍ×120ｍｍ×1,500ｍｍ）以下木の板2を100ｍｍの間隔を開けて並置して上下6本の鎹金物3で成形固定して成る、成形化粧打込み型枠4以下成形化粧打込み型枠4、該成形化粧打込み型枠4の下側の溝1を設置面22に据え置きした型枠板材5に挿入して、止水接続板6と接続ビス7を用いて、2段の成形化粧打込み型枠4を連結固定した基礎部型枠16内に、防水コンクリート8を打設して解放部を鏝で均して基礎部躯体18とする。該基礎部躯体18上に連結部両側面に溝1を設けた2枚の木の板2で、100ｍｍ厚の発砲スチロール9を挟んで上下6本の鎹金物3で成形固定して成る壁浮体成形化粧打込み型枠19、以下壁浮体成形化粧打込み型枠19を止水接続板6と接続ビス7を用いて壁躯体を構築して、連結部両側面に溝1を設けた2枚の木の板2で、40ｍｍ厚の発砲スチロール9を挟んで上下6本の鎹金物3で成形固定して成るスラブ浮体成形化粧打込み型枠20、以下スラブ浮体成形化粧打込み型枠20を止水接続板6と接続ビス7を用いてスラブを構成することによって高度な技能を必要とすることなく、多能工が迅速且つ容易に大小の津波災害に対応ができる、大小様々な津浪避難シェルターが構築できる。
【実施例２】
【００３５】
実施例1の基礎部躯体18の上に、汚泥貯留タンク10が構成できる発砲スチロール9を敷詰めて、該発砲スチロール9の上に床板11を貼って床を作ることによって、被災時のインフラが停止した場合でも日常生活用水が流せる汚泥貯留タンク10となる。
【実施例３】
【００３６】
実施例1のスラブ浮体成形化粧打込み型枠20で構成したスラブの上に、雨水集水ドレーン12と雨水貯留タンク13が構成できる発砲スチロール9を敷詰めて、該発砲スチロール9の上に磁器タイル14を貼ることで発砲スチロール9を保護し、雨水を集水するための笠木15を設けることによって、被災時のインフラが停止した場合でも日常生活用水が使える水の確保が可能となる。
【００３７】
実施例1〜3によって
イ）発砲スチロールを板で包む躯体は巨大津浪の場合は海面に浮く。
ロ）コンクリート基礎躯体にすることで海面に浮いたとき安定する。
ハ）汚泥貯留タンクを床に内蔵することで水を使う日常生活が可能。
二）スラブに雨水貯留タンクを内蔵することで日常生活用水を確保。
ホ）発砲スチロールを板で包むことで強固な躯体・地球温暖化防止。
へ）成形化粧打込み型枠を積固定することで容易且つ迅速な施工性。
ト）成形化粧打込み型枠は鎹金物と接続ビスによって強固な一枚板。
チ）森林資源を成形化粧打込み型枠に使うことで山村林業を活性化。
これらが可能となる。
【００３８】
なお、この発明において、実施例や図面に示した寸法や各部材は、一例を示したものであり、同様の機能を果たす公知の他の寸法部材に置き換えることは可能である。例えば化粧打込み型枠の寸法や板厚などは自由に設定できる。また、発砲スチロールの厚さや形状や大きさも自由に設定ができる。さらに、型枠板材についても金属板・複合板等々強度が得られるものであれば発明を支障なく実施することができる。
【産業上の利用可能性】
【００３９】
災害が多発する我国（島国）に於いて、1例として、東南海巨大地震で予想される津波は巨大で広範囲に及ぶ津浪被害は甚大である。しかしながら、全国の行政は東北被災地を教訓として、高台避難訓練を奨励して津浪防災の開発は進んでいないのが現状である。他方、行政が推進している防災・減災・地方創生や地球温暖化問題など課題が山積している。本発明は伐採適齢期を迎えている森林資源を活用して、これらの課題が解決できる発泡スチロールを用いた津浪避難シェルターを全国に配備することで、行政が推進している防災・減災・地方創生や地球温暖化問題などの課題解決に貢献できる。他方、発泡スチロールを用いた津浪避難シェルターを全国に配備することで多くの新しい産業が創出できる。
【図面の簡単な説明】
【００４０】
【図１】本発明に係る発泡スチロールを用いた津浪避難シェルターの矩計断面図。
【図２】図１のA部を拡大した断面詳細図。
【図３】図１のB部を拡大した断面詳細図。
【図４】図１のC部を拡大した断面詳細図。
【図５】図１のD部を拡大した成形化粧打込み型枠の結合図。
【図６】図１のE部を拡大した断面詳細図。
【図７】基礎部を形成する成形化粧打込み型枠の詳細図。
【図８】基礎部を形成する成形化粧打込み型枠の断面詳細図。
【図９】壁を形成する壁浮体成形化粧打込み型枠の詳細図。
【図１０】壁を形成する壁浮体成形化粧打込み型枠の断面詳細図。
【図１１】スラブを形成するスラブ浮体成形化粧打込み型枠の詳細図。
【図１２】スラブを形成するスラブ浮体成形化粧打込み型枠の断面詳細図。
【符号の説明】
【００４１】
1.溝
2.木の板
3.鎹金物
4.成形化粧打込み型枠
5.型枠板材
6.止水接続板
7.接続ビス
8.防水コンクリート
9.発泡スチロール
10.汚泥貯留タンク
11.床板
12.雨水集水ドレーン
13.雨水貯留タンク
14.磁器タイル
15.笠木
16.コーキング
17.基礎部型枠
18.基礎部躯体
19.壁浮体成形化粧打込み型枠
20.スラブ浮体成形化粧打込み型枠
21.発泡スチロールのスラブ
22.接地面
【図１】
2017226994.tif 000003
【図２】
2017226994.tif 000004
【図３】
2017226994.tif 000005
【図４】
2017226994.tif 000006
【図５】
2017226994.tif 000007
【図６】
2017226994.tif 000008
【図７】
2017226994.tif 000009
【図８】
2017226994.tif 000010
【図９】
2017226994.tif 000011
【図１０】
2017226994.tif 000012
【図１１】
2017226994.tif 000013
【図１２】
2017226994.tif 000014